(57)【要約】【課題】例えばサーフボードや釣具等及び他の貨物を積載しながら安定した走行可能な原動機付きの二輪と三輪のオートバイ又はオート三輪及びこれに用いるルーフキャリアを提供する。【解決手段】一輪からなる操舵輪としての前輪１１と、一輪又は二輪からなる駆動輪としての後輪１２，１３と、前輪及び後輪を支持するボディフレーム１４と、ボディフレームに装着された着座部１５、操舵手段１６及び駆動手段１７とを備えた原動機付きの二輪と三輪のオートバイ又はオート三輪において、ボディフレームの幅方向に所定間隔隔ててそれぞれがボディフレームの適所に固定され、着座者の前方から頭上を経て後方に延在すると共に後方で互いに連結したルーフレール１１０と、ルーフレールの長手方向に所定間隔隔てて固定されルーフレールをそれぞれ互いに連結する少なくとも２本の棒状部材からなるキャリア本体１２０とを備えている。【選択図】図１
2009040382.tif 000002
【特許請求の範囲】
【請求項１】
一輪からなる操舵輪としての前輪と、一輪又は二輪からなる駆動輪としての後輪と、前記前輪及び後輪を支持するボディフレームと、前記ボディフレームに装着された着座部、操舵手段及び駆動手段とを備えた原動機付きの二輪と三輪のオートバイ又はオート三輪において、
前記ボディフレームの幅方向に所定間隔隔ててそれぞれが当該ボディフレームの適所に固定され、着座者の前方から頭上を経て後方に延在すると共に後方で互いに連結したルーフレールと、
前記ルーフレールの長手方向に所定間隔隔てて固定され当該ルーフレールをそれぞれ互いに連結する少なくとも２本の棒状部材からなるキャリア本体と、を備えたことを特徴とする原動機付きの二輪と三輪のオートバイ又はオート三輪。
【請求項２】
前記後輪が走行中に地面に対して略垂直を保つと共に、前記前輪とボディフレームの姿勢が走行状態に応じて地面に対して所定の角度だけ傾くことが可能なように当該ボディフレームと後輪とが連結されていることを特徴とする、請求項１に記載の原動機付きの二輪と三輪のオートバイ又はオート三輪。
【請求項３】
前記ルーフレール及びキャリア本体の少なくとも何れか一方はステンレス鋼でできていることを特徴とする、請求項１又は請求項２に記載の原動機付きの二輪と三輪のオートバイ又はオート三輪。
【請求項４】
前記ルーフレール及びキャリア本体の少なくとも何れか一方はアルミニウム合金でできていることを特徴とする、請求項１又は請求項２に記載の原動機付きの二輪と三輪のオートバイ又はオート三輪。
【請求項５】
一輪からなる操舵輪としての前輪と、一輪又は二輪からなる駆動輪としての後輪と、前記前輪及び後輪を支持するボディフレームと、前記ボディフレームに装着された着座部、操舵手段及び駆動手段とを備えた原動機付きの二輪と三輪のオートバイ又はオート三輪に用いるルーフキャリアであって、
前記ボディフレームの幅方向に所定間隔隔ててそれぞれが当該ボディフレームの適所に固定され、着座者の前方から頭上を経て後方に延在すると共に後方で互いに連結したルーフレールと、
前記ルーフレールの長手方向に所定間隔隔てて固定され当該ルーフレールをそれぞれ互いに連結する少なくとも２本の棒状部材からなるキャリア本体と、を備えたことを特徴とする原動機付きの二輪と三輪のオートバイ又はオート三輪に用いるルーフキャリア。
【発明の詳細な説明】
【技術分野】
【０００１】
本発明は、原動機付きの二輪と三輪のオートバイ又はオート三輪及びこれに用いるルーフキャリアに関する。
【背景技術】
【０００２】
原動機付きの二輪と三輪のオートバイ又はオート三輪、具体的には操舵輪が一輪で駆動輪が一輪の二輪オートバイ又は二輪スクータや、操舵輪が一輪で駆動輪が二輪のいわゆる三輪ミニカー又はオート三輪と呼ばれる三輪スクータ（以下、適宜「スクータ」と称する）などに釣具等を搭載するためのキャリアが従来から知られている（例えば、特許文献１参照）。また、スクータ走行中に運転者が雨などに濡れるのを極力防止するための屋根付きスクータも知られている（例えば、特許文献２参照）。
【特許文献１】特開２００４−２６８９１５号公報（４−５頁、図３）
【特許文献２】特開平９−２４８７１号公報（２−３頁、図１）
【発明の開示】
【発明が解決しようとする課題】
【０００３】
上述した特許文献１に記載のスクータは、スクータの一方の側面に釣具などの長尺荷物を積載しながら走行するので、一方の側面に重心が偏り、バランスを崩し易く、特にカーブで曲がるときなどにバランスを崩したりキャリアの下部が地面に接触したりして安全上問題がある。また、特許文献１に記載のようなキャリアでは、サーフボードなどの幅の広い荷物を搭載することはできない。
【０００４】
一方、特許文献２に記載のスクータは、単に運転者の頭上に全体が曲面状をなすルーフパネルを設けたに過ぎず、このルーフパネルの上に例えばサーフボードや釣具等及び他の貨物を積載するような構造にはなっていない。
【０００５】
本発明の目的は、例えばサーフボードや釣具等及び他の貨物を積載しながら安定した走行が可能な原動機付きの二輪と三輪のオートバイ又はオート三輪及びこれに用いるルーフキャリアを提供することにある。
【課題を解決するための手段】
【０００６】
上記目的を達成するために本発明に係る原動機付きの二輪と三輪のオートバイ又はオート三輪は、
一輪からなる操舵輪としての前輪と、一輪又は二輪からなる駆動輪としての後輪と、前記前輪及び後輪を支持するボディフレームと、前記ボディフレームに装着された着座部、操舵手段及び駆動手段とを備えた原動機付きの二輪と三輪のオートバイ又はオート三輪において、
前記ボディフレームの幅方向に所定間隔隔ててそれぞれが当該ボディフレームの適所に固定され、着座者の前方から頭上を経て後方に延在すると共に後方で互いに連結したルーフレールと、
前記ルーフレールの長手方向に所定間隔隔てて固定され当該ルーフレールをそれぞれ互いに連結する少なくとも２本の棒状部材からなるキャリア本体と、を備えたことを特徴としている。
【０００７】
本発明の請求項１に係る原動機付きの二輪と三輪のオートバイ又はオート三輪がこのような構成、即ちルーフキャリアに例えばサーフボードや釣具等及び他の貨物を搭載した状態で、前側端部がそれぞれ前記ボディフレームの幅方向の適所に固定され、着座者の前方から頭上を経て後方に延在すると共に後方で互いに連結したルーフレールと、ルーフレールに所定間隔隔てて固定されルーフレールをそれぞれ互いに連結する少なくとも２本の棒状部材からなるキャリア本体とを備えることで、例えばサーフボードや釣具等及び他の貨物をこのルーフキャリアに搭載した状態でも安定して走行することができる。
【０００８】
また、特許文献１に記載のスクータのように、スクータの側方に例えばサーフボードや釣具等及び他の貨物を搭載した状態で走行する必要がなくなるので、安全な走行が可能となる。従って、特許文献１に記載の従来のスクータの有する問題、即ちスクータの側方に例えばサーフボードや釣具等及び他の貨物を取付けて走行した場合に、走行中にカーブなどで車体を傾けた時にこれらの荷物の下部が地面に接触して転倒の原因となるようなことはない。また、特許文献２に記載のスクータのように、曲面状の屋根に例えばサーフボードや釣具等及び他の貨物を紐等で縛って積載した場合、本発明のルーフキャリア付きスクータはこのような積載物をルーフキャリアにしっかりと固定できるようになっているので、そのような積載物が走行中に脱落する虞れを少なくすることができる。
【０００９】
特にサーフボードを積載する場合など、ルーフキャリアにこれをしっかりと固定できるので、風の影響を受け難く、スクータを安心して運転することができる。
【００１０】
また、本発明の請求項２に記載の原動機付きの二輪と三輪のオートバイ又はオート三輪は、請求項１に係る原動機付きの二輪と三輪のオートバイ又はオート三輪において、
前記後輪が走行中に地面に対して略垂直を保つと共に、前記前輪とボディフレームの姿勢が走行状態に応じて地面に対して所定の角度だけ傾くことが可能なように当該ボディフレームと後輪とが連結されていることを特徴としている。
【００１１】
このような後輪が走行中に地面に対して略垂直を保つと共に、前輪とボディフレームの姿勢が走行状態に応じて地面に対して所定の角度だけ変化するような機構を本発明の原動機付きの二輪と三輪のオートバイ又はオート三輪に適用することで、例えばサーフボードや釣具等及び他の貨物をルーフキャリアに積載した状態でカーブを曲がる際にルーフキャリアに載せた積載物も共に地面に対して傾くので、遠心力の影響を受け難く、スクータを安定して走行させることが可能になる。
【００１２】
また、特許文献１に記載の従来のスクータの有する問題、即ちスクータの側方に例えばサーフボードや釣具等及び他の貨物を取付けて走行した場合に、走行中にカーブなどで車体を傾けた時にこれらの荷物の下部が地面に接触して危険な転倒の原因となることはない。また、特許文献２に記載のスクータのように、曲面状のルーフパネルに例えばサーフボードや釣具等及び他の貨物を紐等で縛って直接積載した場合、これが走行中に曲面状のルーフパネルに沿ってずれてルーフパネルから脱落するような虞れもない。
【００１３】
また、本発明の請求項３に記載の原動機付きの二輪と三輪のオートバイ又はオート三輪は、請求項１及び請求項２に係る原動機付きの二輪と三輪のオートバイ又はオート三輪において、
前記ルーフレール及びキャリア本体の少なくとも何れか一方はステンレス鋼でできていることを特徴としている。
【００１４】
このようにルーフレール及びキャリア本体の少なくとも何れか一方がステンレス鋼からなることで、本発明における原動機付きの二輪と三輪のオートバイ又はオート三輪を沿岸地域で長期間使用していても、錆び難く長期に亘って美観を保った原動機付きの二輪と三輪のオートバイ又はオート三輪として使用することができる。
【００１５】
また、本発明の請求項４に記載の原動機付きの二輪と三輪のオートバイ又はオート三輪は、請求項１及び請求項２に係る原動機付きの二輪と三輪のオートバイ又はオート三輪において、
前記ルーフレール及びキャリア本体の少なくとも何れか一方はアルミニウム合金でできていることを特徴としている。
【００１６】
このようにルーフレール及びキャリア本体の少なくとも何れか一方がアルミニウム合金からなることで、この部分が軽量化するのでルーフキャリア付きスクータの重心をなるべく低くすることで例えばサーフボードや釣具等及び他の貨物を積載した状態でより安定した走行を行うことが可能となる。
【００１７】
また、本発明の請求項５に記載のルーフキャリアは、
一輪からなる操舵輪としての前輪と、一輪又は二輪からなる駆動輪としての後輪と、前記前輪及び後輪を支持するボディフレームと、前記ボディフレームに装着された着座部、操舵手段及び駆動手段とを備えた原動機付きの二輪と三輪のオートバイ又はオート三輪に用いるルーフキャリアであって、
前記ボディフレームの幅方向に所定間隔隔ててそれぞれが当該ボディフレームの適所に固定され、着座者の前方から頭上を経て後方に延在すると共に後方で互いに連結したルーフレールと、
前記ルーフレールの長手方向に所定間隔隔てて固定され当該ルーフレールをそれぞれ互いに連結する少なくとも２本の棒状部材からなるキャリア本体と、を備えたことを特徴としている。
【００１８】
原動機付きの二輪と三輪のオートバイ又はオート三輪に取付けるルーフキャリアがこのような構造を有することで、既存の二輪スクータや三輪スクータにボディフレームを介して簡単に取付けることができる。また、このようなルーフキャリアを取付けた後にルーフキャリアに例えばサーフボードや釣具等及び他の貨物を積載した状態でも安定して原動機付きの二輪と三輪のオートバイ又はオート三輪を走行させることができる。
【発明の効果】
【００１９】
本発明によると、例えばサーフボードや釣具等及び他の貨物を積載しながら安定した走行可能な原動機付きの二輪と三輪のオートバイ又はオート三輪及びこれに用いるルーフキャリアを提供することができる。
【発明を実施するための最良の形態】
【００２０】
以下、本発明の一実施形態に係る原動機付きの二輪と三輪のオートバイ又はオート三輪（以下、単に「ルーフキャリア付きスクータ又はスクータ」とする）及びこれに用いるルーフキャリアについて図面に基づいて説明する。本実施形態に係るルーフキャリア付きスクータ１及びこれに用いるルーフキャリア１００は、図１に示すように一輪からなる操舵輪としての前輪１１と、二輪からなる駆動輪としての後輪１２，１３と、前輪１１及び後輪１２，１３を支持するボディフレーム１４と、ボディフレーム１４に装着された着座シート（着座部）１５、ハンドル（操舵手段）１６及びエンジン（駆動手段）１７とを備えたスクータである。なお、ボディフレーム１４は、フロントカウルやステップカウルの内部に収容されているため、図１においては点線の引き出し線で示している。また、エンジン１７も同様に図１では外部から直接見えないので、同図においては点線の引き出し線で示している。
【００２１】
そして、このスクータ１には組み合わせてルーフキャリア１００を構成するルーフレール１１０とルーフレール１１０に取付けられた２本のキャリア本体１２０を備えている。ルーフレール１１０は、前側端部がそれぞれボディフレーム１４のフロントカウル支持部上側のバックミラー２４のミラー固定ステー１８近傍に取付けステー１１１を介して取付けられ、着座者（図示せず）の前方から頭上を経て後方に延在すると共に後方で互いに連結している。なお、ルーフレール１１０は本実施形態の場合、ステンレス鋼でできている。
【００２２】
そして、本実施形態におけるスクータ１は、ボディフレーム１４の前方部分にフロントウィンド１９が上方に延在して取付けられると共に、フロントウィンド１９から着座者の頭上を後方に向かってルーフパネル２０が延在している。そして、ルーフパネル２０の後端部は支持ステー２１によって着座シート１５の後ろ側にある背もたれ部２２の上端部と連結している。また、背もたれ部２２の後方には、本実施形態の場合、ボックス状の荷物入れを搭載できる荷台２３が備わっている。
【００２３】
なお、本実施形態におけるルーフレール１１０は、上述したフロントウィンド１９及びルーフパネル２０の側方端部に所定間隔隔てた状態、即ちボディフレーム１４の幅方向両側に所定間隔隔てた状態でこのフロントウィンド１９及びルーフパネル２０の上側にそれぞれ沿って延在している。
【００２４】
続いて、ルーフレール１１０のボディフレーム１４への取付け構造について図２に基づいて説明する。ルーフレール１１０の端部近傍には、ルーフレール取付け用支持ステー１１１が設けられている。そして、この支持ステー１１１を介してボディフレーム１４のフロントカウルを支持する部分の上側であってボディフレーム１４のバックミラー２４が取り付けられているミラー固定ステー１８の隣接する位置に取付け用支持ステー１１１及びここでは図示しないボルトを介して取付けられている。なお、この取り付け用支持ステー１１１は必ずしも必要とせず、ルーフレール１１０をボディフレーム１４の強度のある部位に固定できる場合であれば、この取り付け用支持ステー１１１を省略しても構わない。
【００２５】
そして、ルーフレール１１０は上述したようにルーフパネル２０の上側においては、ルーフパネル２０に対して一定間隔を隔てて延在すると共に後述するキャリア本体１２０の固定プレート１２２に備わった固定スペーサ１２３を介してルーフパネル２０を支持する支持ステー２１にボルト等によって連結されている。
【００２６】
続いて、ルーフレール１１０に取付けられるキャリア本体１２０について説明する。キャリア本体１２０はルーフレール１１０と同様にステンレス鋼でできており、一定の長さを備えた角型の棒状体からなる。そして、本実施形態の場合、キャリア本体下面のルーフレール近傍に下方延在部１２１が形成され、この下方延在部１２１の下端にルーフレール１１０をキャリア本体１２０と協働して挟み込む固定プレート１２２が備わっている。そして、固定プレート１２２は両端部がルーフレール１１０に溶接されている。なお、この下方延在部１２１及び固定プレート１２２もステンレス鋼でできている。このようなキャリア本体１２０がルーフレール１１０のルーフパネル２０上における比較的前方及び後方端近傍にそれぞれ平行にルーフレール１１０に固定されている。
【００２７】
以下、上述した実施形態に係るルーフキャリア付きスクータ及びこれに用いるルーフキャリア１００の作用について説明する。図３は、ルーフキャリア１００にサーフボード２００（図４参照）を積載する直前の状態を示したもので、同図に示すようにルーフキャリア１００のキャリア本体１２０にはボード保護用の弾力性に富んだプロテクタ１２５が巻かれると共に、キャリア本体１２０の一方の端部に固定バンド１２６の一方の端部を固定する固定端部１２７が備わり、かつ他方の端部に固定バンド１２６をサーフボードにきつく締めこむ固定アタッチメント１２８が備わっている。これらのプロテクタ１２５、固定バンド１２６、固定端部１２７及び固定アタッチメント１２８については市販品を入手して容易に取付けることが可能である。また、図４は、図３に示したルーフキャリア１００にサーフボード２００を実際に積載した状態を示している。図４から本実施形態によるルーフキャリア１００を用いることで、サーフボード２００をスクータのルーフパネル若干上側にしっかりと固定できることが分かる。
【００２８】
また、本実施形態では、特に図示しないが、このルーフキャリア１００に釣具や他の貨物を搭載する場合は、同様のアタッチメントを介してルーフキャリア１００にしっかりと搭載することができる。
【００２９】
ルーフキャリア１００に例えばサーフボードや釣具等及び他の貨物を搭載した状態で、ボディフレーム１４のフロントカウル支持部の上側であってミラー固定ステー１８の固定部近傍に前側端部がそれぞれ固定され、着座者の前方から頭上を経て後方に延在すると共に後方で互いに連結したルーフレール１１０と、このルーフレール１１０に所定間隔隔てこのルーフレール１１０を互いに連結すると共に、背もたれ部２２からルーフパネル２０に向けて上側に延在する支持ステー２１に固定スペーサ１２３を介して下部が連結される２本のキャリア本体１２０を備えることで、例えばサーフボードや釣具等及び他の貨物をこのルーフキャリア１００に搭載した状態でもスクータを安定して走行させることができる。ルーフキャリア１００がこのようにボディフレーム１４にしっかりと固定されていることで、特にサーフボードのような幅広の長尺物を積載した時に横風の影響等を受け難くなっている。
【００３０】
また、従来例における特許文献１に記載されたスクータのようにスクータの側方に例えばサーフボードや釣具等及び他の貨物を搭載した状態で走行する必要がなくなるので、スクータの重心が側方にずれたり、カーブを曲がる際にこれらの搭載物の下部が地面に擦ったりする虞れがなく、安全な走行が可能となる。
【００３１】
また、特許文献２に記載のスクータのように、曲面状のルーフパネルに例えばサーフボードや釣具等及び他の貨物を紐等で縛って直接積載した場合、これが走行中に曲面状のルーフパネルに沿ってずれてルーフパネルから脱落するような虞れがない。
【００３２】
また、後輪１２，１３が走行中に地面に対して略垂直を保つと共に、前輪１１とボディフレーム１４の姿勢が走行状態に応じて地面に対して所定の角度だけ変化するようなスクータに上述したルーフキャリア１００を取付けることで、例えばサーフボードや釣具等及び他の貨物をルーフキャリア１００に積載した状態でこれらの積載物がカーブなどでボディフレーム１４と一体となって地面に対して所定の角度だけ傾くので、カーブの走行中に遠心力を直接受けることなく走行し易くなる。
【００３３】
また、ルーフレール１１０がボディフレーム１４のフロントカウル支持部上側であって、ハンドルのグリップに比較的近いバックミラー２４の支持ステー近傍にその端部が固定されていることで、運転者がルーフレール１１０を介してルーフレール上に取付けられたキャリア本体１２０に積載された例えばサーフボードや釣具等及び他の貨物の積載物の状態をハンドルから手で伝わる感触で常に確認できる。これによって、従来の特許文献１に記載のスクータ側方にキャリアを設けたタイプにおいて走行中に横目で見ながら搭載物を確認する必要がなく安全上優れている。
【００３４】
また、特許文献２に記載のように曲面状のルーフパネル２０にバンド等で不安定に取付けた場合に、走行中にこの積載状態をわき見をしながら確認する必要がなく、安全上優れている。
【００３５】
なお、このようにルーフレール１１０及びキャリア本体１２０の少なくとも何れか一方がステンレス鋼からなることで、本実施形態に係るキャリア用ルーフレールを備えた原動機付きの二輪と三輪のオートバイ又はオート三輪を沿岸地域で長期間使用していても、錆び難く長期に亘って美観を保つことができる。
【００３６】
また、ルーフレール１１０及びキャリア本体１２０は共にステンレス鋼でできている必要はなく、何れか一方が例えばアルミニウム合金でできていても良い。この場合、両者は溶接により固定するのではなく、ボルト等の締結具を介して両者を互いにしっかりと連結すれば良い。この場合、ステンレス鋼による防錆効果に加えて、アルミニウム合金の部分が軽量化の作用を発揮することができる。なお、ルーフレール１１０及びキャリア本体１２０は、それぞれがステンレス鋼、アルミニウム合金以外の材質でできていても、若しくはそれぞれが同じ材質でできていても、溶接による固定以外に例えばボルト等の他の締結手段を用いて互いに固定することも可能である。
【００３７】
また、ルーフレール１１０及びキャリア本体１２０が共にアルミニウム合金でできていても良い。このようにルーフレール１１０及びキャリア本体１２０の両方が共に何れもアルミニウム合金からなることで、このルーフキャリア全体が軽量化するので、ルーフキャリア付きスクータの重心をなるべく低くすることができ、例えばサーフボードや釣具等及び他の貨物を積載した状態でより安定して走行させることができる。
【００３８】
また、上述したルーフレール１１０及びキャリア本体１２０は、ボディフレーム１４のフロントカウル支持部の上側であって、バックミラー２４のミラー固定ステー１８の付近にボルトなどで締め付け固定されると共に、キャリア本体下部の固定スペーサ１２３を介して背もたれ部２２から上方に延在する支持ステー２１に固定スペーサ１２３を介して固定される簡単な取付け構造になっているので、これを取り外してルーフレール１１０及びキャリア本体１２０をルーフキャリア単体のまま他のスクータに取替えることも可能である。また、このルーフキャリア１００だけを保管しておいて、注文に応じてこのルーフキャリア１００を上述した原動機付きの二輪と三輪のオートバイ又はオート三輪に後付けすることも可能である。
【００３９】
なお、上述の実施形態においてスクータの後部荷台２３に収納ボックスを搭載するとより利便性が高まる。具体的には、ルーフキャリア１００にサーフボードを積載する場合は、この収納ボックスをウェットスーツ収容ボックスとして用いると共に、その内部の一部を簡易シャワータンク及びシャワーノズルを備え、波乗り後の着替え等に利用するようにして利便性をより高めても良い。
【００４０】
また、ルーフキャリアに釣具を積載する場合は、この収容ボックスを保冷用のクーラーボックスとして用い、釣った魚をその中に入れて鮮度を保ったまま持ち帰るようにして利便性をより高めても良い。
【００４１】
なお、上述した実施形態では、駆動輪である後輪が二輪であったが、必ずしもこれに限定されず、この後輪が一輪からなるいわゆる通常のスクータであっても良い。
【００４２】
即ち、本発明におけるスクータの用語は、狭義の意味でのスクータに限定されないことは言うまでもない。即ち、上述した実施形態のような三輪ミニカーと呼ばれる三輪スクータや上述の実施形態では紹介しなかったいわゆる二輪スクータ、即ち原動機付きの二輪と三輪のオートバイ又はオート三輪に本発明を広く適用可能であることは言うまでもない。
【００４３】
また、上述した実施形態のスクータは、後輪が走行中に地面に対して一定の姿勢を保つと共に、前輪とボディフレームの姿勢が走行状態に応じて地面に対して所定の角度だけ変化するようにボディフレームと後輪とが連結されている構成を有していたが、必ずしもこれに限定されず、通常の二輪スクータのようにカーブを曲がる際に前輪と後輪が地面に対してこれに応じて傾くスクータやトライクと呼ばれる三輪スクータのように地面に対して前輪と後輪が常に垂直になっているようなスクータにも本発明は適用可能であることは言うまでもない。
【００４４】
また、キャリア本体は上述の実施形態では２本であったが、必ずしもこの本数に限定されず、３本かそれ以上のキャリア本体がルーフレール上に固定されていても良い。
【００４５】
また、本発明のルーフキャリアに関して、キャリア本体及びルーフレールの材質を上述の実施形態ではステンレス鋼又はアルミニウム合金で紹介したが、必ずしもこの材質に限定されず、鉄、塩ビなどのプラスチック類等、このルーフキャリアの機能として適したものであれば、どのような材質も使用可能であることは言うまでない。
【００４６】
また、ルーフレールのボディフレームへの取付け位置は、ルーフキャリアがボディフレームにしっかりと取付けられる位置であれば、必ずしも上述の実施形態の位置に限定されない。
【００４７】
また、ルーフレールは、スクータの各車種固有のボディフレームの形態に応じて適宜適当なステー及びスペーサを選択しこれらを介してそれぞれのボディフレームに固定しても良い。
【００４８】
また、背もたれ部の上部に支持ステーが備わっていないスクータに関しては、後付タイプの支持ステー等を適宜使用することも可能である。
【００４９】
また、ルーフレールの後方の連結部の位置はルーフレール後端には限定されず、ルーフレールの中心から後方の何れかに位置していても良い。
【００５０】
また、フロントウィンド及びルーフパネルは、本発明においては必ずしも必要とするものではない。
【００５１】
また、キャリア本体１２０は、下方延在部１２１、固定プレート１２２及び固定スペーサ１２３を介してルーフレール１１０を介して支持ステー２１に取付けられているが、これは、このキャリア本体１２０のルーフレール１１０への固定構造の一例を挙げたものにすぎず、ルーフレール１１０とキャリア本体１２０の両者の固定構造を実現できれば、この設計態様に限定されないことは言うまでもない。
【００５２】
以上説明したように、本発明は、上述の実施形態の内容に限定されるものではなく、本発明の範囲を逸脱しない範囲内で適宜設計変更が可能である。
【図面の簡単な説明】
【００５３】
【図１】本発明の一実施形態に係る原動機付きの二輪と三輪のオートバイ又はオート三輪にキャリア用ルーフレールを備えた状態を示す斜視図である。
【図２】図１に示したルーフキャリア付きスクータのルーフキャリアの部分を拡大して示す斜視図である。
【図３】図２に示したルーフキャリアにサーフボードを積載する直前の状態を示す斜視図である。
【図４】図２に示したルーフキャリアにサーフボードを積載して固定した状態を示す斜視図である。
【符号の説明】
【００５４】
１    ルーフキャリア付きスクータ
１１    前輪             
１２，１３    後輪
１４    ボディフレーム
１５    着座シート（着座部）
１６    ハンドル（操舵手段）
１７    エンジン（駆動手段）
１８    ミラー固定ステー
１９    フロントウィンド
２０    ルーフパネル
２１    支持ステー  
２２    背もたれ部
２３    荷台
２４    バックミラー
１００    ルーフキャリア
１１０    ルーフレール
１１１    ルーフレール取り付け用支持ステー
１２０    キャリア本体                     
１２１    下方延在部                        
１２２    固定プレート
１２３    固定スペーサ
１２５    プロテクタ
１２６    固定バンド              
１２７    固定端部
１２８    固定アタッチメント
２００    サーフボード
【図１】
2009040382.tif 000003
【図２】
2009040382.tif 000004
【図３】
2009040382.tif 000005
【図４】
2009040382.tif 000006